(57)【要約】【課題】本発明は、第１筐体と第２筐体とを回転可能に連結する連結部を有すると共に、第１筐体又は第２筐体を回転させない場合には、第２筐体が第１筐体に形成された凹状の収容部に収容配置される電子機器を提供することを目的とする。【解決手段】携帯電話機１は、凹状の収容部５を有する表示部側筐体３と、収容部５に収容可能な支持部材６と、支持部材６が表示部側筐体３の収容部５に収容される第１状態と、支持部材６の収容部５への収容が解除され、表示部側筐体３又は支持部材６を回転軸Ｚを中心に回転可能な第２状態と、に遷移可能に表示部側筐体３と支持部材６を連結する連結部７と、を備える。【選択図】図９
2010011243.tif 000002
【特許請求の範囲】
【請求項１】
凹状の収容部を有する第１筐体と、
前記収容部に収容可能な第２筐体と、
前記第２筐体が前記第１筐体の前記収容部に収容される第１状態と、前記第２筐体の前記収容部への収容が解除され、前記第１筐体又は前記第２筐体を前記第１筐体と前記第２筐体とが重なる方向にのびる回転軸を中心に回転可能な第２状態と、に遷移可能に前記第１筐体と前記第２筐体を連結する連結部と、を備える
電子機器。
【請求項２】
前記第１状態において、前記第２筐体は、前記凹状の収容部における内側面により前記回転軸を中心とした回転が規制される
請求項１に記載の電子機器。
【請求項３】
前記連結部は、前記第１筐体と前記第２筐体との前記回転軸方向における長さが可変になるように構成される
請求項１又は２に記載の電子機器。
【請求項４】
前記連結部は、前記第２状態における前記第１筐体又は前記第２筐体の一方を前記回転軸を中心に前記第１筐体又は前記第２筐体の他方に対して略９０度だけ回転させた第３状態へ遷移可能に前記第１筐体と前記第２筐体とを連結する
請求項１から３のいずれかに記載の電子機器。
【請求項５】
前記連結部は、
前記回転軸と略同軸である中空状の第１円筒部材と、
前記第１円筒部材の内側に前記第１円筒部材に対して相対的に前記回転軸方向に移動可能であると共に、前記第１円筒部材に対して相対的に前記回転軸を中心に回転移動可能に配置される第２円筒部材と、を備える
請求項１から４に記載の電子機器。
【請求項６】
前記第１円筒部材又は前記第２円筒部材における一方には、溝部が形成され、
前記第１円筒部材又は前記第２円筒部材における他方には、前記溝部に挿通して該溝部に沿って移動可能なピン部材が形成される
請求項５に記載の電子機器。
【請求項７】
前記溝部は、前記第１円筒部材又は前記第２円筒部材に形成された凹状の溝であり、
前記ピン部材は、端部に形成され前記溝部における側面に当接可能な爪部を有する
請求項６に記載の電子機器。
【請求項８】
前記溝部には、前記側面に連続して形成され前記爪部が係合可能な被係合部が該溝部の深さ方向において複数形成される
請求項７に記載の電子機器。
【請求項９】
前記ピン部材の位置に応じて前記連結部における回転状態を検出可能な検出素子と、を有する
請求項６から８のいずれかに記載の電子機器。
【発明の詳細な説明】
【技術分野】
【０００１】
本発明は、携帯電話機等の電子機器に関する。
【背景技術】
【０００２】
近年、電子機器としての携帯電話機において、テレビ視聴機能等が搭載され、いわゆるワンセグテレビ放送が視聴可能な機種が市場に流通されている。
【０００３】
そして、テレビ視聴機能が搭載された携帯電話機において、ユーザに快適なテレビ画像を提供するため、表示部（表示面）が９０度回転可能に構成される機種が存在する。
【０００４】
例えば、表示部が備えられる第２ケーシングの背面を回動手段を介して連結部と接合させることで、表示部が備えられた第２ケーシングを回転可能とした携帯電話機が提案されている（例えば、特許文献１参照）。
【特許文献１】特開２００３−１１４６７０号公報
【発明の開示】
【発明が解決しようとする課題】
【０００５】
しかし、特許文献１の携帯電話機において、連結部は第２ケーシングの背面側の面から厚さ方向に突出して配置される。このため、携帯電話機における厚さが厚くなることや、連結部や回動手段が他の物体にひっかかり邪魔になるという問題があった。
【０００６】
本発明は、第１筐体と第２筐体とを回転可能に連結する連結部を有すると共に、第１筐体又は第２筐体を回転させない場合には、第２筐体が第１筐体に形成された凹状の収容部に収容配置される電子機器を提供することを目的とする。
【課題を解決するための手段】
【０００７】
本発明は、凹状の収容部を有する第１筐体と、前記収容部に収容可能な第２筐体と、前記第２筐体が前記第１筐体の前記収容部に収容される第１状態と、前記第２筐体の前記収容部への収容が解除され、前記第１筐体又は前記第２筐体を前記第１筐体と前記第２筐体とが重なる方向にのびる回転軸を中心に回転可能な第２状態と、に遷移可能に前記第１筐体と前記第２筐体を連結する連結部と、を備える電子機器に関する。
【０００８】
また、前記第１状態において、前記第２筐体は、前記凹状の収容部における内側面により前記回転軸を中心とした回転が規制されることが好ましい。
【０００９】
また、前記連結部は、前記第１筐体と前記第２筐体との前記回転軸方向における長さが可変になるよう構成されることが好ましい。
【００１０】
また、前記連結部は、前記第２状態における前記第１筐体又は前記第２筐体の一方を前記回転軸を中心に前記第１筐体又は前記第２筐体の他方に対して略９０度だけ回転させた第３状態へ遷移可能に前記第１筐体と前記第２筐体とを連結することが好ましい。
【００１１】
また、前記連結部は、前記回転軸と略同軸である中空状の第１円筒部材と、前記第１円筒部材の内側に前記第１円筒部材に対して相対的に前記回転軸方向に移動可能であると共に、前記第１円筒部材に対して相対的に前記回転軸を中心に回転移動可能に配置される第２円筒部材と、を備えることが好ましい。
【００１２】
また、前記第１円筒部材又は前記第２円筒部材における一方には、溝部が形成され、前記第１円筒部材又は前記第２円筒部材における他方には、前記溝部に挿通して該溝部に沿って移動可能なピン部材が形成されることが好ましい。
【００１３】
また、前記溝部は、前記第１円筒部材又は前記第２円筒部材に形成された凹状の溝であり、前記ピン部材は、端部に形成され前記溝部における側面に当接可能な爪部を有することが好ましい。
【００１４】
また、前記溝部には、前記側面に連続して形成され前記爪部が係合可能な被係合部が該溝部の深さ方向において複数形成されることが好ましい。
【００１５】
また、前記ピン部材の位置に応じて前記連結部における回転状態を検出可能な検出素子と、を有することが好ましい。
【発明の効果】
【００１６】
本発明によれば、第１筐体と第２筐体とを回転可能に連結する連結部を有すると共に、第１筐体又は第２筐体を回転させない場合には、第２筐体が第１筐体に形成された凹状の収容部に収容配置される電子機器を提供することができる。
【発明を実施するための最良の形態】
【００１７】
以下、図面を参照して本発明を実施するための最良の形態を説明する。
図１から図８により、電子機器としての携帯電話機１における基本構造及び基本動作を説明する。
図１は、閉状態である携帯電話機１の正面図である。図２は、図１の携帯電話機１における側面図である。図３は、開状態である携帯電話機１の正面図である。図４は、図３の携帯電話機１における側面図である。図５は、開状態の表示部側筐体３を手前側に引き出した状態における正面図である。図６は、図５の携帯電話機１における側面図である。図７は、手前に引き出された表示部側筐体３を９０度回転させた変形状態における正面図である。図８は、図７の携帯電話機１における側面図である。
【００１８】
図１から図８に示すように、携帯電話機１は、各状態に変形可能に構成される。具体的には、携帯電話機１は、図１及び図２に示す閉状態と、図３及び図４に示す第１開状態と、図５及び図６に示す第２開状態と、図７及び図８に示す第３開状態と、に変形（遷移）可能に構成される。
【００１９】
ここで、閉状態とは、後述する操作部側筐体２と表示部側筐体３とが互いに重なるように配置された状態である。第１開状態とは、閉状態から操作部側筐体２と表示部側筐体３とが互いに重ならないように離間させた状態である。第２開状態とは、第２開状態における操作部側筐体２が図５における手前側（図６における左側）に引き出された状態である。第３開状態とは、第２開状態における操作部側筐体２が回転軸Ｚ（図７及び図８参照）を中心に９０度回転され、表示部側筐体３が水平方向に長くなるよう配置された状態である。
【００２０】
図１から図８に示すように、電子機器としての携帯電話機１は、操作部側筐体２と、第１筐体としての表示部側筐体３と、第２筐体としての支持部材６と、表示部側筐体３と支持部材６とを連結する連結部７と、を備える。また、携帯電話機１は、支持部材６及び連結部７を介して操作部側筐体２と表示部側筐体３と開閉可能に連結するヒンジ部４を有する。
【００２１】
操作部側筐体２は、各種キーを含んで構成される操作キー群１１と、使用者が通話時に発した音声が入力されるマイク１２と、を備える。
【００２２】
操作キー群１１は、各種設定や電話帳機能やメール機能等の各種機能を作動させるための機能設定操作キーと、電話番号の数字やメール等の文字等を入力するための入力操作キーと、各種操作における決定や上下左右方向のスクロール等を行う操作部材としての決定操作キーとにより構成される。操作キー群１１を構成する各キーそれぞれには、操作部側筐体２と表示部側筐体３との開閉状態や各種モード、あるいは起動されているアプリケーション等の種類に応じて所定の機能が割り当てられる（キー・アサイン）。そして、使用者が各キーを押圧することにより、各キーに割り当てられている機能に応じた動作が実行される。
【００２３】
マイク１２は、操作部側筐体２の長手方向におけるヒンジ部４側と反対の外端部側に配置される。つまり、マイク１２は、携帯電話機１が開状態において一方の外端部側に配置される。
【００２４】
操作部側筐体２における一方側の側面には、外部機器（例えば、ホスト装置）と通信を行うためのインターフェース（不図示）が配置される。操作部側筐体２の他方側の側面には、所定の機能が割り当てられているサイドキー（不図示）と、外部メモリの挿入及び取り出しが行われるインターフェース（不図示）とが配置される。インターフェースは、キャップにより覆われている。各インターフェースは、不使用時にはキャップにより覆われる。
【００２５】
表示部側筐体３は、各種情報を表示するための表示部２１と、通話の相手側の音声を出力するレシーバ２２とを備える。ここで、表示部２１は、液晶パネルと、この液晶パネルを駆動する駆動回路と、この液晶パネルの背面側から光を照射するバックライト等の光源部とから構成される。
【００２６】
また、表示部側筐体３は、表示部２１と反対側に形成される凹状の収容部５を有する。収容部５には、板状の支持部材６が収容配置される。具体的には、図１及び図２に示す閉状態と、図３及び図４に示す第１開状態とにおいて、支持部材６は表示部側筐体３における収容部５に収容配置される。これにより、図２及び図４に示すように、支持部材６が表示部側筐体３部の外縁（外面）に対して平坦状に収容配置される。
【００２７】
また、支持部材６が表示部側筐体３における収容部５に収容配置された状態において、表示部側筐体３における回転軸Ｚを中心した回転（後述）が規制される。具体的には、支持部材６が収容部５における内側面に当接することで、表示部側筐体３における回転軸Ｚを中心とする回転が抑制される。
【００２８】
ヒンジ部４は、内部にヒンジ機構（不図示）を有し、支持部材６及び連結部７を介して操作部側筐体２と表示部側筐体３とを開閉可能に連結する。詳細には、ヒンジ部４は、操作部側筐体２と支持部材６とを開閉可能に連結する。これにより、操作部側筐体２と、支持部材６に連結部７を介して連結される表示部側筐体３とは、ヒンジ部４により開閉可能に連結される。
【００２９】
連結部７は、表示部側筐体３部と支持部材６とを回転軸Ｚを中心に互いに回転可能に連結すると共に、表示部側筐体３と支持部材６との距離を変更可能に構成される。連結部７は、支持部材６におけるヒンジ部４と反対の端部側に取り付けられる。また、連結部７は、表示部側筐体３の表示部２１と反対側の面における中央部分に取り付けられる。連結部７の内部には、配線等が挿通配置される。
【００３０】
連結部７は、図１及び図２における閉状態と、図３及び図４における第１開状態とにおいて、支持部材６が収容部５の側面に当接されることで回転が規制される。
【００３１】
連結部７は、図５及び図６における第２開状態において、表示部側筐体３と支持部材６との間の距離が長くなるように変形する。言い換えると、連結部７を介して支持部材６に連結される表示部側筐体３は、図５における紙面手前側（図６における紙面左側）に繰り出すよう移動する。表示部側筐体３が、図５における紙面手前側（図６における紙面左側）に繰り出すよう移動することで、連結部７は、回転が規制された状態から回転が可能な状態に遷移する。
【００３２】
連結部７は、第２開状態において、回転軸Ｚを中心に回転する。つまり、第２開状態において、支持部材６に連結部７を介して連結される表示部側筐体３は、回転軸Ｚを中心に回転可能となる。第２状態における表示部側筐体３を回転軸Ｚを中心に９０度回転させることで、携帯電話機１は、図７及び図８に示す第３開状態になる。
【００３３】
第２開状態における連結部７が回転軸Ｚを中心に９０度回転することで、図７及び図８に示すように、表示部側筐体３は、表示部２１が横長になるよう配置される。第３開状態において、操作部側筐体２は、テレビ画像を視聴するのに適した態様で配置される。
【００３４】
また、後述する検出素子としてのスイッチ１００等により、連結部７の回転を検出することで、表示部２１における画像表示の態様を切り替えることもできる。例えば、検出素子としてのホール素や磁石を利用した検出手段により検出した連結部７の回転状態に応じて、不図示の制御部が表示部２１における画像の表示態様を自動的に切り替えるように構成してもよい。
ここで、連結部７における詳細な構造及び動作は、後に詳述する。
【００３５】
次いで、操作部側筐体２及び表示部側筐体３の内部構造について説明する。
操作部側筐体２は、フロントケースと、キー構造部と、キー基板と、ケース体と、基準電位パターン層及び携帯電話機用のＲＦ（Ｒａｄｉｏ  Ｆｒｅｑｕｅｎｃｙ）モジュール等の各種電子部品を備える回路基板と、アンテナ部と、バッテリリッドを備えたリアケースと、バッテリとを備える。
【００３６】
フロントケースとリアケースとは、互いの凹状の内側面が向き合うように配置され、互いの外周縁が重なり合うようにして結合される。また、フロントケースとリアケースとの間には、キー構造部と、キー基板と、ケース体と、回路基板と、アンテナ部が挟まれるようにして内蔵される。
【００３７】
フロントケースには、携帯電話機１を折り畳んだ状態で表示部側筐体３の表示部２１と対向する内側面に、キー孔が形成される。キー孔それぞれからは、機能設定操作キーを構成する機能設定操作キー部材の押圧面、入力操作キーを構成する入力操作キー部材の押圧面、及び決定操作キーを構成する決定操作キー部材の押圧面が露出される。この露出した機能設定操作キー部材、入力操作キー部材及び決定操作キー部材の押圧面を押し下げるように押圧することで、対応するキースイッチそれぞれに設けられる後述のメタルドーム（椀状形状）の頂点が押圧され、スイッチ端子に接触して電気的に導通する。
【００３８】
キー構造部は、操作部材と、補強部材としてのキーフレームと、シート部材としてのキーシートと、により構成される。
【００３９】
操作部材は、複数のキー操作部材により構成される。具体的には、機能設定操作キー部材と、入力操作キー部材と、決定操作キー部材とにより構成される。操作部材を構成する各操作キー部材それぞれは、後述するキーフレームを挟んでキーシートに接着される。キーシートに接着された各操作キー部材それぞれにおける押圧面は、上述の通り、キー孔それぞれから外部に露出して配置される。
【００４０】
キーフレームは、孔部が複数形成された金属性の板状部材である。キーフレームは、入力操作キー部材の押圧による回路基板等への悪影響を防ぐための補強部材である。また、キーフレームは導電性の部材であり、入力操作キー部材における静電気を逃がすための部材としても機能する。キーフレームに形成される複数の孔部には、後述するキーシートに形成される凸部が嵌合するように配置される。そして、この凸部に入力操作キー部材が接着される。
【００４１】
キーシートは、可撓性を有するシリコンゴム製のシート状部材である。キーシートには、上述の通り、複数の凸部が形成される。複数の凸部は、キーシートにおけるキーフレームが配置される側の面に形成される。この複数の凸部それぞれは、後述するキースイッチに対応する位置に形成される。
【００４２】
キー基板は、キーシート側に配置される複数のキースイッチを有する。複数のキースイッチそれぞれは、各操作部材に対応する位置に配置される。キー基板に配置されるキースイッチは、椀状に湾曲して立体的に形成された金属板のメタルドームを有する構造になっている。メタルドームは、その椀状形状の頂点が押圧されると、キー基板の表面に印刷された電気回路（図示せず）に形成されるスイッチ端子に接触して電気的に導通するように構成される。なお、キー基板は、複数の絶縁層（絶縁フィルム）の間に配線を挟み込んだものである。
【００４３】
キー基板がケース体における平板部に載置されるので、操作部材それぞれが押圧されることによる圧力や撓みは、ケース体の下方に配置される回路基板に伝達されにくい。
【００４４】
ケース体は、薄型の直方体における一の広い面が開口した形状を有する導電性の部材である。ケース体は、平板部における開口側の面に略垂直に形成されるリブを有する。リブは、回路基板に実装される各種電子部品のうち最も高さのある電子部品の高さと同等又はそれよりも十分に高くなるよう形成される。リブは、平板部の周縁及び内側に基準電位部を構成する基準電位パターン層に対応するように形成される。具体的には、ケース体が回路基板に載置された状態で、基準電位パターン層上に配置されるようにリブが形成される。なお、ケース体は、金属により形成するほか、骨格を樹脂により形成し、その表面に導体膜を形成したものでもよい。
【００４５】
ケース体は、リブの底面が基準電位パターン層に当接されることで、該基準電位パターン層と電気的に接続される。ケース体は、基準電位パターン層と電気的に導通して該基準電位パターン層と同じ大きさの電位を有するようになる。つまり、ケース体は、シールドケースとして機能する。ケース体は、シールドケースとして外部からの高周波等のノイズが回路基板に配置される各種電子部品に作用するのを抑制すると共に、ＲＦ（Ｒａｄｉｏ  Ｆｒｅｑｕｅｎｃｙ）回路、ＣＰＵ回路、電源回路等から放出されるノイズを遮蔽して、他の電子部品やアンテナに接続される受信回路等に作用することを抑制する。具体的には、ケース体におけるリブの底面が基準電位パターン層上に配置されることで、後述する各回路はリブにより囲われると共に平板部の一部により覆われる。リブは、各回路における隔壁として機能し、平板部の一部と共に各回路をシールドする。
【００４６】
回路基板には、アンテナが送受信する信号を処理する信号処理部を含む不図示の各種電子部品や回路が配置される。各種電子部品は、所定の組み合わせにより複数の回路ブロックを形成する。例えば、ＲＦ（Ｒａｄｉｏ  Ｆｒｅｑｕｅｎｃｙ）回路、電源回路等を含む各種回路ブロックが形成される。
【００４７】
回路基板におけるケース体側の第１面には、上述の各種電子部品のほか、基準電位部を構成する基準電位パターン層が形成される。基準電位パターン層は、上述の各回路ブロックを区画するように形成される。基準電位パターン層は、回路基板の第１面の表面に導電性の部材を所定パターンで印刷することで形成される。
【００４８】
アンテナ部は、基台上に所定形状のアンテナエレメントが配置されることにより構成さる。アンテナ部は、携帯電話機１におけるヒンジ部４側と反対の端部側に配置される。このアンテナ部のアンテナエレメントは、帯状の板金により形成される。また、アンテナ部は、不図示の給電端子を介して回路基板から給電される。これにより、アンテナエレメントは、給電端子を介して回路基板から給電されると共に、回路基板のＲＦモジュール等と接続される。
【００４９】
表示部側筐体３は、フロントパネルと、フロントケースと、レシーバ２２と、表示部２１と、表示部２１が接続されたプリント基板と、リアケースと、を備える。
表示部側筐体３は、フロントパネルと、フロントケースと、表示部２１と、プリント基板と、リアケースと、とがそれぞれが積層的に配置される。具体的には、フロントケースとリアケースとは、互いの凹状の内側面が向き合うように配置され、互いの外周縁が重なり合うようにして結合される。
【００５０】
そして、フロントケースとリアケースとの間には、表示部２１が接続されたプリント基板が挟まれるようにして内蔵される。プリント基板には、不図示のアンプと接続されるスピーカが接続される。
【００５１】
続けて、図９から図１４により、連結部７における構造及び動作について詳述する。
図９は、連結部７における分解斜視図である。図１０は、図９における領域Ａの反対側からみた拡大図である。図１１は、閉状態又は第１開状態における連結部７の断面図である。図１２は、第２開状態における連結部７の断面図である。図１３は、第３開状態における連結部７の断面図である。図１４は、連結部７における回転を検出する機構の一例を説明する図である。
【００５２】
図９及び図１０により、連結部７は、第１円筒部材としての第１カムプレート７ａと、第２円筒部材としてのカムリング７ｂと、第２カムプレート７ｃと、を備える。
【００５３】
第１カムプレート７ａは、不図示のネジ部材により支持部材６に固定される。
第１カムプレート７ａは、不図示のネジ部材が挿通されるネジ孔が形成される板状の部分である第１プレート部７１と、第１プレート部７１の中央部に形成される円筒状の部分である第１円筒部７３と、第１円筒部７３の側面に形成される略Ｌ字状の第１カム溝７５と、を備える。
【００５４】
第１円筒部７３は、回転軸Ｚと略同軸である中空状の部材である。
第１カム溝７５は、回転軸Ｚ方向にのびるように形成される第１溝部７５ａと、回転軸Ｚを中心にした回転方向にのびるように形成される第２溝部７５ｂとを有する。
【００５５】
第１円筒部７３の内側には、カムリング７ｂが回転軸Ｚを中心に回転可能であると共に、回転軸Ｚ方向へ移動可能に配置される。また、第１カム溝７５には、カムリング７ｂに形成される後述の第１カムピン８１が挿通される。
【００５６】
カムリング７ｂは、第２円筒部７７と、第２円筒部７７の側面に回転軸Ｚ方向に沿って直線状に形成される第２カム溝７９と、第２円筒部７７の側面における外側に形成される突起状の第１カムピン８１とを有する。
【００５７】
カムリング７ｂは、第１カムプレート７ａにおける第１円筒部７３の内側に配置される。具体的には、カムリング７ｂは、第１カムピン８１が第１円筒部７３における第１カム溝７５に挿通して配置される。これにより、第１カムピン８１は第１カム溝７５に移動方向を案内される。また、カムリング７ｂの内側には、第２カムプレート７ｃにおける後述の第３円筒部８５が回転軸Ｚに移動可能に構成される。カムリング７ｂにおける第２カム溝７９には、第２カムプレート７ｃにおける第３円筒部８５に形成される後述の第２カムピン８７が挿通される。
【００５８】
ここで、カムリング７ｂ（第２円筒部７７）は、第１円筒部７３の内側に第１円筒部７３に対して相対的に回転軸Ｚ方向に移動可能であると共に、第１円筒部７３に対して相対的に回転軸Ｚを中心に回転移動可能に配置される。
【００５９】
第２カムプレート７ｃは、表示部側筐体３の収容部５に形成されカム取り付け部５ａに収容された状態で不図示のネジ部材により固定される。第２カムプレート７ｃは、不図示のネジ部材が挿通されるネジ孔が形成される板状の部分である第２プレート部８３と、第２プレート部８３の中央部に形成される円筒状の部分である第３円筒部８５と、第３円筒部８５の側面に突起状に形成される第２カムピン８７と、を備える。
【００６０】
第２カムプレート７ｃにおける第３円筒部８５は、カムリング７ｂの内側に配置される。具体的には、第３円筒部８５は、第２カムピン８７がカムリング７ｂの第２カム溝７９に挿通して配置される。これにより、第２カムピン８７は第２カム溝７９に移動方向を案内される。
【００６１】
続けて、図１１から図１３により、連結部７における動作について説明する。
図１１に示すように、支持部材６が収容部５に収容された状態において、連結部７は、回転軸Ｚ方向における長さが最も短い（初期長さＬ１）状態である。この状態において、連結部７は、回転軸Ｚを中心に回転できない状態である。つまり、カムリング７ｂの第１カムピン８１が略Ｌ字状の第１カム溝７５における第１溝部７５ａに挿通した状態であるので、連結部７は、回転軸Ｚを中心に回転することが規制される。また、支持部材６が収容部５の側面に当接することでも連結部７における回転が規制されている。
【００６２】
次いで、図１２に示すように、表示部側筐体３が支持部材６から離間するように引き出されることで、連結部７は、矢印Ｆ１方向に距離Ｆ１だけ回転軸Ｚ方向にのびるように変形する。具体的には、第１カムプレート７ａに対して、カムリング７ｂは、第１カムピン８１が第１カム溝７５における第１溝部７５ａに案内されながら矢印Ｆ１１だけ移動する。また、カムリング７ｂに対して、第２カムプレート７ｃは、第２カムピン８７が第２カム溝７９に案内されながら矢印Ｆ１２だけ移動する。このようにして、連結部７は、回転軸Ｚ方向に長くなる（初期長さＬ１→繰り出し長さＬ２）。
ここで、第１カムピン８１は、第１カム溝７５における第２溝部７５ｂに案内される位置に移動される。
【００６３】
続けて、図１３に示すように、連結部７は、第１カムプレート７ａに対して、カムリング７ｂ及び第２カムプレート７ｃが矢印Ｆ２方向に回転するよう構成される。カムリング７ｂにおける第１カムピン８１が第１カムプレート７ａの第２溝部７５ｂに案内され、カムリング７ｂ及び第２カムプレート７ｃは、矢印Ｆ２方向に回転する。このように連結部７が回転することで、表示部側筐体３は、回転軸Ｚを中心に矢印Ｆ２方向に回転する。
【００６４】
ここで、図１４に示すように、カムリング７ｂの回転により移動する第１カムピン８１と、第３開状態における第１カムピン８１の位置に配置された検出素子としてのスイッチ１００とにより、連結部７における回転状態（位置）を検出できるようにしてもよい。
具体的には、第２開状態から第３開状態になることで位置Ｐ１から位置Ｐ２移動した第１カムピン８１により端子１００ａが押されることで、スイッチ１００は、連結部７における回転を検出する。ここで、連結部７における回転状態（位置）の検出は、ホール素子と磁石を利用した検出手段や、静電容量の変化等を利用した検出手段等を適宜利用することができる。
【００６５】
本実施形態によれば、表示部側筐体３と支持部材６とを回転可能に連結する連結部７を有すると共に、表示部側筐体３又は支持部材６を回転させない場合には、支持部材６が表示部側筐体３に形成された凹状の収容部５に収容配置される携帯電話機１を提供することができる。これにより、携帯電話機１は、閉状態又は第１開状態において、表示部側筐体３における表示部２１が配置された面とは反対側の面を略平面状にすることができる。また、これにより、携帯電話機１を薄型化することができる。また、これにより、携帯電話機１における（ポケットやカバン等への）収納性が向上する。また、これにより、外見がスマートでデザイン性が向上された携帯電話機１を提供することができる。
【００６６】
また、本実施形態によれば、第３開状態における位置に繰り出さないと回転軸Ｚを中心に表示部側筐体３が回転しないように構成されるので、表示部側筐体３が不用意に回転することを抑制できる。これにより、表示部側筐体３や支持部材６等の破損等を抑制できる。
【００６７】
また、本実施形態によれば、カム溝やカムピンを形成した円筒部材を組み合わせることで連結部７を構成しているので、簡易な構造により回転と伸縮が可能な連結部７を構成することができる。また、このような構成を採ることで、回転軸Ｚ方向への移動（伸縮）や回転移動がスムーズに行われる連結部７を提供することができる。また、カム溝の形状やサイズを調整することで、許容以上の移動や回転を簡易に規制することができる。また、繰り出し長さＬ２に対して連結部７の大きさ（長さ）を小さくすることができるので、省スペースな設計が可能となる。
【００６８】
以上、好適な実施形態について説明したが、本発明は上述した実施形態に限定されることなく種々の形態で実施することができる。例えば、本実施形態において、携帯端末装置として携帯電話機１について説明しているが、これに限定されず、ＰＨＳ（登録商標；Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、ノートパソコン等であってもよい。
【００６９】
また、本実施形態においては、カム溝は円筒部の側面の厚さ方向に連通した溝であるが、これに限定されず、例えば、円筒部の側面に形成された凹状の溝であってもよい。
この場合、図１５及び図１６に示すように、カムピン３００の端部には、凹状のカム溝３２０との係合を維持するための爪部３１０を形成してもよい。また、カム溝３２０の側面には、該側面に連続して形成され爪部３１０が係合可能な被係合部３２１、３２２、３２３が該カム溝３２０の深さ方向において複数形成されていてもよい。被係合部３２１、３２２、３２３は、カム溝３２０がのびる方向に連続して形成される。これにより、カムピン３００が傾いたり、カムピン３００に引き抜かれ側へ力が加えられた場合、爪部３１０が被係合部３２１、３２２、３２３に係合することで、カムピン３００がカム溝３２０から離間することが抑制される。
【００７０】
また、第１カムプレートａに形成される第１カム溝７５は略Ｌ字状に形成されるが、これに限定されず、第１カム溝７５は、第１円筒部７３の側面に沿って螺旋状に形成されていてもよい。この場合、連結部７は、繰り出し移動と、回転移動とを同時に行うことができる。
【００７１】
ここで、携帯電話機１が連結部７を伸長させる側に付勢する不図示の付勢部材と、付勢部材からの付勢力による連結部７の伸長を規制する規制部材とを備える場合において、連結部７は、規制部材による規制が解除されることで自動的に伸長しながら回転する。つまり、規制部材による規制を解除することで、携帯電話機１は、表示部側筐体３が繰り出しながら回転して第３状態になる。
また、例えば、表示部側筐体３を支持部材６側に押圧することで規制部材による規制が解除されるように構成した場合、ユーザが表示部側筐体３を支持部材６側に押圧するだけで、携帯電話機１は、表示部側筐体３が繰り出しながら回転して第３状態になる。
【図面の簡単な説明】
【００７２】
【図１】閉状態である携帯電話機１の正面図である。
【図２】図１の携帯電話機１における側面図である。
【図３】開状態である携帯電話機１の正面図である。
【図４】図３の携帯電話機１における側面図である。
【図５】開状態の表示部側筐体３を手前側に引き出した状態における正面図である。
【図６】図５の携帯電話機１における側面図である。
【図７】手前に引き出された表示部側筐体３を９０度回転させた変形状態における正面図である。
【図８】図７の携帯電話機１における側面図である。
【図９】連結部７における分解斜視図である。
【図１０】図９における領域Ａの反対側からみた拡大図である。
【図１１】閉状態又は第１開状態における連結部７の断面図である。
【図１２】第２開状態における連結部７の断面図である。
【図１３】第３開状態における連結部７の断面図である。
【図１４】連結部７における回転を検出する機構の一例を説明する図である。
【図１５】他の実施形態におけるカム溝３２０及びカムピン３００の構造を説明する図である。
【図１６】他の実施形態におけるカム溝３２０及びカムピン３００の作用を説明する図である。
【符号の説明】
【００７３】
１        携帯電話機
２        操作部側筐体
３        表示部側筐体
４        ヒンジ部
５        収容部
６        支持部材
７        連結部
７ａ      第１カムプレート
７ｂ      カムリング
７ｃ      第２カムプレート
Ｚ        回転軸
【図１】
2010011243.tif 000003
【図２】
2010011243.tif 000004
【図３】
2010011243.tif 000005
【図４】
2010011243.tif 000006
【図５】
2010011243.tif 000007
【図６】
2010011243.tif 000008
【図７】
2010011243.tif 000009
【図８】
2010011243.tif 000010
【図９】
2010011243.tif 000011
【図１０】
2010011243.tif 000012
【図１１】
2010011243.tif 000013
【図１２】
2010011243.tif 000014
【図１３】
2010011243.tif 000015
【図１４】
2010011243.tif 000016
【図１５】
2010011243.tif 000017
【図１６】
2010011243.tif 000018